【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
無線通信のための装置であって、
少なくとも１つの部分区域に関する少なくとも１つの高速他セクタ干渉（ＯＳＩ）指標を受信し、各部分区域は、システム帯域幅の異なる部分に対応する、ここにおいて、各高速ＯＳＩ指標は、前記システム帯域幅の異なる部分にわたる干渉の短期平均に基づいて決定される、
前記システム帯域幅に関する通常のＯＳＩ指標を受信し、ここにおいて、前記通常のＯＳＩ指標は、前記システム帯域幅にわたる干渉の長期平均に基づいて決定される、
前記少なくとも１つの高速ＯＳＩ指標および前記通常のＯＳＩ指標に基づいて送信電力を決定する
ように構成された少なくとも１つのプロセッサと、
前記少なくとも１つのプロセッサに結合されたメモリと
を備える、無線通信のための装置。
【請求項２】
前記少なくとも１つのプロセッサは、前記少なくとも１つの高速ＯＳＩ指標に基づいて、前記少なくとも１つの部分区域に関する少なくとも１つのデルタを調整し、各部分区域に関する送信電力を、前記部分区域に関するデルタに基づいて決定するように構成される、請求項１に記載の装置。
【請求項３】
前記少なくとも１つのプロセッサは、閉ループ電力制御に基づいて、基準チャネルに関する送信電力を決定し、各部分区域に関する前記送信電力を、前記基準チャネルに関する前記送信電力、および前記部分区域に関する前記デルタに基づいて決定するように構成される、請求項２に記載の装置。
【請求項４】
前記少なくとも１つのプロセッサは、前記部分区域に関するすべてのＯＳＩ指標が、高い干渉が無いことを示している各部分区域に関する前記デルタを増加し、前記部分区域に関するいずれかのＯＳＩ指標が、高い干渉を示している各部分区域に関する前記デルタを低減するように構成される請求項２に記載の装置。
【請求項５】
前記少なくとも１つのプロセッサは、少なくとも１つのインタレースの中の前記少なくとも１つの部分区域に関する前記少なくとも１つの高速ＯＳＩ指標を受信し、ここで、各インタレースは、所定のフレーム数だけ間隔があけられたフレームを含む、
各インタレースの中の各部分区域に関するデルタを、前記インタレースの中の前記部分区域に関して受信されたＯＳＩ指標に基づいて調整し、
各インタレースの中の各部分区域に関する送信電力を、前記インタレースの中の前記部分区域に関する前記デルタに基づいて決定する
ように構成される、請求項１に記載の装置。
【請求項６】
前記少なくとも１つのプロセッサは、モニタセットの中の少なくとも１つの隣接セクタから前記少なくとも１つの高速ＯＳＩ指標を受信するように構成され、隣接セクタに関するチャネル利得、およびサービングセクタに関するチャネル利得に基づいて、前記モニタセットを更新するように構成される、請求項１に記載の装置。
【請求項７】
無線通信のための方法であって、
少なくとも１つの部分区域に関する少なくとも１つの高速他セクタ干渉（ＯＳＩ）指標を受信することと、各部分区域は、システム帯域幅の異なる部分に対応する、ここにおいて、各高速ＯＳＩ指標は、前記システム帯域幅の異なる部分にわたる干渉の短期平均に基づいて決定される、
前記システム帯域幅に関する通常のＯＳＩ指標を受信することと、ここにおいて、前記通常のＯＳＩ指標は、前記システム帯域幅にわたる干渉の長期平均に基づいて決定される、
前記少なくとも１つの高速ＯＳＩ指標および前記通常のＯＳＩ指標に基づいて送信電力を決定することと
を備える、無線通信のための方法。
【請求項８】
前記送信電力を前記決定することは、
前記少なくとも１つの高速ＯＳＩ指標に基づいて前記少なくとも１つの部分区域に関する少なくとも１つのデルタを調整することと、
各部分区域に関する送信電力を、前記部分区域に関するデルタに基づいて決定することと
を備える、請求項７に記載の方法。
【請求項９】
前記少なくとも１つのデルタを前記調整することは、
前記部分区域に関するすべてのＯＳＩ指標が、高い干渉が無いことを示している各部分区域に関する前記デルタを増加することと、
前記部分区域に関するいずれかのＯＳＩ指標が、高い干渉を示している各部分区域に関する前記デルタを低減することと
を備える、請求項８に記載の方法。
【請求項１０】
前記少なくとも１つの高速ＯＳＩ指標を前記受信することは、
少なくとも１つのインタレースの中の前記少なくとも１つの部分区域に関する前記少なくとも１つの高速ＯＳＩ指標を受信することと、ここで、各インタレースは、所定のフレーム数だけ間隔があけられたフレームを含む、
を備え、
前記送信電力を前記決定することは、
各インタレースの中の各部分区域に関するデルタを、前記インタレースの中の前記部分区域に関して受信された高速ＯＳＩ指標に基づいて調整することと、
各インタレースの中の各部分区域に関する送信電力を、前記インタレースの中の前記部分区域に関する前記デルタに基づいて決定することと
を備える、請求項７に記載の方法。
【請求項１１】
前記少なくとも１つの高速ＯＳＩ指標を前記受信することは、
モニタセットの中の少なくとも１つの隣接セクタから前記少なくとも１つの高速ＯＳＩ指標を受信することと
隣接セクタに関するチャネル利得、およびサービングセクタに関するチャネル利得に基づいて、前記モニタセットを更新することと
を備える、請求項７に記載の方法。
【請求項１２】
無線通信のための装置であって、
少なくとも１つの部分区域に関する少なくとも１つの高速他セクタ干渉（ＯＳＩ）指標を受信するための手段と、各部分区域は、システム帯域幅の異なる部分に対応する、ここにおいて、各高速ＯＳＩ指標は、前記システム帯域幅の異なる部分にわたる干渉の短期平均に基づいて決定される、
前記システム帯域幅に関する通常のＯＳＩ指標を受信するための手段と、ここにおいて、前記通常のＯＳＩ指標は、前記システム帯域幅にわたる干渉の長期平均に基づいて決定される、
前記少なくとも１つの高速ＯＳＩ指標および前記通常のＯＳＩ指標に基づいて送信電力を決定するための手段と
を備える、無線通信のための装置。
【請求項１３】
前記送信電力を前記決定するための手段は、
前記少なくとも１つの高速ＯＳＩ指標に基づいて前記少なくとも１つの部分区域に関する少なくとも１つのデルタを調整するための手段と、
各部分区域に関する送信電力を、前記部分区域に関するデルタに基づいて決定するための手段と
を備える、請求項１２に記載の装置。
【請求項１４】
前記少なくとも１つのデルタを前記調整するための手段は、
前記部分区域に関するすべてのＯＳＩ指標が、高い干渉が無いことを示している各部分区域に関する前記デルタを増加するための手段と、
前記部分区域に関するいずれかのＯＳＩ指標が、高い干渉を示している各部分区域に関する前記デルタを低減するための手段と
を備える請求項１３に記載の装置。
【請求項１５】
前記少なくとも１つのＯＳＩ指標を前記受信するための手段は、
少なくとも１つのインタレースの中の前記少なくとも１つの部分区域に関する前記少なくとも１つの高速ＯＳＩ指標を受信するための手段、ここで、各インタレースは、所定のフレーム数だけ間隔があけられたフレームを含む、
を備え、
前記送信電力を前記決定するための手段は、
各インタレースの中の各部分区域に関するデルタを、前記インタレースの中の前記部分区域に関して受信された高速ＯＳＩ指標に基づいて調整するための手段と、
各インタレースの中の各部分区域に関する送信電力を、前記インタレースの中の前記部分区域に関する前記デルタに基づいて決定するための手段と
を備える、請求項１２に記載の装置。
【請求項１６】
前記少なくとも１つのＯＳＩ指標を前記受信するための手段は、
モニタセットの中の少なくとも１つの隣接セクタから前記少なくとも１つの高速ＯＳＩ指標を受信するための手段と、
隣接セクタに関するチャネル利得、およびサービングセクタに関するチャネル利得に基づいて、前記モニタセットを更新するための手段と
を備える、請求項１２に記載の装置。
【請求項１７】
命令を備える非一時的コンピュータ可読媒体であって、前記命令は、機械によって実行されるとき、前記機械に、
少なくとも１つの部分区域に関する少なくとも１つの高速他セクタ干渉（ＯＳＩ）指標を受信させ、各部分区域は、システム帯域幅の異なる部分に対応し、ここにおいて、各高速ＯＳＩ指標は、前記システム帯域幅の異なる部分にわたる干渉の短期平均に基づいて決定される、
前記システム帯域幅に関する通常のＯＳＩ指標を受信し、ここにおいて、前記通常のＯＳＩ指標は、前記システム帯域幅にわたる干渉の長期平均に基づいて決定される、
前記少なくとも１つの高速ＯＳＩ指標および前記通常のＯＳＩ指標に基づいて送信電力を決定させる
非一時的コンピュータ可読媒体。